(57)【特許請求の範囲】
【請求項１】
カーテンとカーテンが設置されるカーテンフレームとを含む遮光装置において、
前記カーテンフレームは、第１フレーム〜第４フレームが順次に結合して四角枠状に形成され、前記第１フレーム〜第４フレームのそれぞれにはカーテン溝が備えられて第１カーテン〜第４カーテンがそれぞれ設置され、前記第１カーテン〜第４カーテンは互いに異なる方向に開閉されることを特徴とする遮光装置。
【請求項２】
前記四角枠状のカーテンフレームは、外側フレームと外側フレームの内側に形成された内側フレームとを含み、前記外側フレームは前記第１フレーム〜第４フレームに形成された第１外側フレーム〜第４外側フレームが結合して形成され、前記内側フレームは前記第１フレーム〜第４フレームに形成された第１内側フレーム〜第４内側フレームが結合して形成され、前記第１フレーム〜第４フレームに形成された前記第１外側フレーム〜第４外側フレームのそれぞれは前記外側フレームの一辺に対応し、前記第１フレーム〜第４フレームに形成された前記第１内側フレーム〜第４内側フレームのそれぞれは前記内側フレームの厚さの１／４に当たることを特徴とする請求項１に記載の遮光装置。
【請求項３】
前記第１フレーム〜第４フレームには前記第１カーテン〜第４カーテンを開閉するためのカーテン開閉装置がそれぞれ設置され、前記カーテン開閉装置は、カーテンが巻き取られ、各フレームの一側に設置される巻取ローラーと；前記巻取ローラーに対向して各フレームの他側に設置され、両端にプーリーが備えられるプーリー支持バーと；前記カーテンと連結され、前記巻取ローラーの回転によって前記プーリーを通過して、前記巻取ローラーの両端に巻かれたり解けられることによって前記カーテンが開閉されるようにするワイヤと；を含むことを特徴とする請求項１に記載の遮光装置。
【請求項４】
前記カーテン開閉装置は、前記巻取ローラーの一端に設置されて、前記巻取ローラーを正逆方向に回転させる正逆モーターと；前記正逆モーターを駆動させる正逆モーター駆動部と；をさらに含むことを特徴とする請求項３に記載の遮光装置。
【請求項５】
前記正逆モーター駆動部は、無線制御器によって制御されることを特徴とする請求項４に記載の遮光装置。
【発明の詳細な説明】
【技術分野】
【０００１】
本発明は遮光装置に関し、さらに詳しくはカーテンを４重に設置し、設置されたカーテンが互いに異なる方向に開閉されるようにすることによって窓から光が入射する位置を選択的に設定することができるとともに、各カーテンに多様な色とデザインを適用して室内インテリアー效果を向上することができるようにした遮光装置に関する。
【背景技術】
【０００２】
最近、住宅の形態が多様化され、眺望圏がますます重要視されつつあり、居間の片面や壁が数個の窓や一つの大きい窓に形成されていて、室内でこれら窓の占める比重が漸次に大きくなっている。
【０００３】
一般的に、このような窓は、カーテンやブラインドまたはバーティカルのような多様な遮光装置を利用して外部の視線を遮断したり、日照量を調節している。具体的に、カーテンは、窓の両側から中央に引いて遮光するように形成され、ブラインドは、上部から下部に移動させて外部または日光を遮断するように構成される。バーチカルは、一般的にカーテンと一緒に窓の両側から中央に移動させて外部または日光を遮断するために使われるが、角度の調節によって光量を調節できるようになっている。
【０００４】
上述したように、従来の遮光装置は、上部から下部にまたは一側面から他側面に遮光幕を移動させて遮光し、窓の一部のみを開放する機能は有しない。即ち、窓の中央部分のみを開放するか、一側の下部分のみを選択的に開放することができないという短所がある。従って、遮光装置の遮光幕を開放する限り、広い窓の水平または垂直ライン全体が開放されるので、使用者の好みに合う選択の幅が少なくなる。
【０００５】
また、遮光装置を一旦一度設置すると、遮光幕の色やデザインを変えることができなくて、多様な変化が不可能であるため、室内インテリアーが単調であるという短所がある。
【発明の概要】
【発明が解決しようとする課題】
【０００６】
本発明はカーテンを４重に設置し、設置されたカーテンが互いに異なる方向に開閉されるようにすることによって、窓から光が入射する位置を選択的に設定することができるとともに、各カーテンに多様な色とデザインを適用して室内インテリアー效果を向上させることができるようにした遮光装置を提供することにある。
【課題を解決するための手段】
【０００７】
本発明の目的はカーテンとカーテンが設置されるカーテンフレームとを含む遮光装置において、前記カーテンフレームは、第１フレーム〜第４フレームが順次に結合して四角枠状に形成され、前記第１フレーム〜第４フレームのそれぞれにはカーテン溝が備えられて第１カーテン〜第４カーテンがそれぞれ設置され、前記第１カーテン〜第４カーテンは互いに異なる方向に開閉されることを特徴とする遮光装置によって達成される。
【０００８】
ここで、前記四角枠状のカーテンフレームは、外側フレームと外側フレームの内側に形成された内側フレームとを含み、前記外側フレームは前記第１フレーム〜第４フレームに形成された第１外側フレーム〜第４外側フレームが結合して形成され、前記内側フレームは前記第１フレーム〜第４フレームに形成された第１内側フレーム〜第４内側フレームが結合して形成され、前記第１フレーム〜第４フレームに形成された前記第１外側フレーム〜第４外側フレームのそれぞれは前記外側フレームの一辺に対応し、前記第１フレーム〜第４フレームに形成された前記第１内側フレーム〜第４内側フレームのそれぞれは前記内側フレームの厚さの１／４に当たる。
【０００９】
前記第１フレーム〜第４フレームには前記第１カーテン〜第４カーテンを開閉するためのカーテン開閉装置がそれぞれ設置され、前記カーテン開閉装置は、カーテンが巻き取られ、各フレームの一側に設置される巻取ローラーと；前記巻取ローラーに対向して各フレームの他側に設置され、両端にプーリーが備えられるプーリー支持バーと；前記カーテンと連結され、前記巻取ローラーの回転によって前記プーリーを通過して、前記巻取ローラーの両端に巻かれたり解けられることによって前記カーテンが開閉されるようにするワイヤと；を含む。
【００１０】
ここで、前記カーテン開閉装置は、前記巻取ローラーの一端に設置されて、前記巻取ローラーを正逆方向に回転させる正逆モーターと；前記正逆モーターを駆動させる正逆モーター駆動部と；をさらに含む。
【００１１】
また、前記正逆モーター駆動部は、無線制御器によって制御されることが好ましい。
【発明の効果】
【００１２】
本発明によれば、カーテンを４重に設置し、設置されたカーテンが互いに異なる方向に開閉されるようにすることによって、窓から光が入射する位置を選択的に設定することができるとともに、各カーテンに多様な色とデザインを適用して室内インテリアー效果を向上することができるようにした遮光装置が提供される。
【００１３】
また、カーテンを４重に設置することによって室内保温效果を向上することができる。
【図面の簡単な説明】
【００１４】
【図１】本発明の遮光装置に使われるカーテンフレーム１００を示す図面である。
【図２】図１に示すカーテンフレーム１００の分解図を示す。
【図３】第１フレーム１１０〜第４フレーム１４０に第１カーテン１１１〜第４カーテン１４１が結合される状態を示す図面である。
【図４】第１フレーム１１０〜第４フレーム１４０に設置されるカーテン開閉装置において、第１フレームに設置されるカーテン開閉装置２０を拡大して示す図面である。
【図５】本発明の一実施形態による遮光装置が実行された状態を示す図面である。
【発明を実施するための形態】
【００１５】
以下、本発明の好ましい実施形態を図面を参照して詳しく説明すれば次の通りである。
【００１６】
図１は本発明の遮光装置に使われるカーテンフレーム１００を示す図面である。カーテンフレーム１００は、窓の全面に設置されるもので、窓の大きさに合わせて四角枠状に製作される。本実施形態で、カーテンフレーム１００はカーテンフレーム全体の外郭を形成する外側フレーム１１と外側フレーム１１の内側に形成されて、カーテンが結合される内側フレーム１２とを含む。
【００１７】
図２は図１に示すカーテンフレーム１００の分解図を示す。図２に示すように、カーテンフレーム１００は、第１フレーム１１０〜第４フレーム１４０が結合されて構成される。本実施形態では第１フレーム１１０の後に第２フレーム１２０、第２フレーム１２０の後に第３フレーム１３０、第３フレーム１３０の後に第４フレーム１４０を順次に結合して構成したが、該順序に限られるものではない。
【００１８】
第１フレーム１１０は、カーテンフレーム１００全体の外側フレーム１１を形成する第１外側フレーム１１ａとカーテンフレーム１００全体の内側フレーム１２を形成する第１内側フレーム１２ａとを含む。第１外側フレーム１１ａは、カーテンフレーム１００全体の外側フレーム１１の四辺の中で一辺を構成し、第１内側フレーム１２ａはカーテンフレーム１００全体の内側フレーム１２の中の一部を形成するために、内側フレーム１２の厚さの１／４に形成される。第１内側フレーム１２ａの四辺にはカーテン溝１３ａが備えられてカーテンが設置される。
【００１９】
第２フレーム１２０はカーテンフレーム１００全体の外側フレーム１１を形成する第２外側フレーム１１ｂとカーテンフレーム１００全体の内側フレーム１２を形成する第２内側フレーム１２ｂとを含む。第２外側フレーム１１ｂはカーテンフレーム１００全体の外側フレーム１１の四辺の中で一辺を構成し、第２内側フレーム１２ｂはカーテンフレーム１００全体の内側フレーム１２の中の一部を形成するために内側フレーム１２の厚さの１／４に形成され、第１フレーム１１０の第１内側フレーム１２ａが全面に結合される。第２内側フレーム１２ｂの四辺にはカーテン溝１３ｂが備えられて、カーテンが設置される。
【００２０】
第３フレーム１３０はカーテンフレーム１００全体の外側フレーム１１を形成する第３外側フレーム１１ｃとカーテンフレーム１００全体の内側フレーム１２を形成する第３内側フレーム１２ｃとを含む。第３外側フレーム１１ｃはカーテンフレーム１００全体の外側フレーム１１の四辺の中の一辺を構成し、第３内側フレーム１２ｃはカーテンフレーム１００全体の内側フレーム１２の中の一部を形成するために内側フレーム１２の厚さの１／４に形成され、第２フレーム１２０の第２内側フレーム１２ｂが全面に結合される。第３内側フレーム１２ｃの四辺にはカーテン溝１３ｃが備えられてカーテンが設置される。
【００２１】
第４フレーム１４０はカーテンフレーム１００全体の外側フレーム１１を形成する第４外側フレーム１１ｄとカーテンフレーム１００全体の内側フレーム１２を形成する第４内側フレーム１２ｄとを含む。第４外側フレーム１１ｄはカーテンフレーム１００全体の外側フレーム１１の四辺の中の一辺を構成し、第４内側フレーム１２ｄはカーテンフレーム１００全体の内側フレーム１２の中の一部を形成するために内側フレーム１２の厚さの１／４に形成され、第３フレーム１３０の第３内側フレーム１２ｃが全面に結合される。第４内側フレーム１２ｄの四辺にはカーテン溝１３ｄが備えられてカーテンが設置される。
【００２２】
従って、第１内側フレーム１２ａの後に第２内側フレーム１２ｂ〜第４内側フレーム１２ｄが順次配置されると、第１外側フレーム１１ａから時計方向に第２外側フレーム１１ｂ〜第４外側フレーム１１ｄが配置されるように構成するので、このように配置された第１フレーム〜第４フレームを結合すれば四角枠状のカーテンフレーム１００全体が形成される。
【００２３】
本発明の実施形態では、カーテンフレーム１００全体が外側フレーム１１と内側フレーム１２とを備えることで説明したが、外側フレーム１１は見掛けの要求に応じて、場合によって省略してもよい。
【００２４】
図３は、第１フレーム１１０〜第４フレーム１４０に第１カーテン１１１〜第４カーテン１４１が結合される状態を示す図面である。第１カーテン１１１は、第１フレーム１１０の第１内側フレーム１２ａに結合されて左側から右側に展開されるように設置される。第２カーテン１２１は第２フレーム１２０の第２内側フレーム１２ｂに結合されて、上部から下部に展開されるように設置される。第３カーテン１３１は第３フレーム１３０の第３内側フレーム１２ｃに結合されて右側から左側に展開されるように設置される。第４カーテン１４１は第４フレーム１４０の第４内側フレーム１２ｄに結合されて下部から上部に展開されるように設置される。しかし、本発明は、第１カーテン〜第４カーテンが図面に示した方向のみに展開されるのではなく、第１カーテン〜第４カーテンが互いに異なる方向に開閉されるように設置することで十分である。従って、第１カーテン１１１が右側から左側に展開され、第２カーテン１２１が下部から上部に展開され、第３カーテン１３１が左側から右側に、第４カーテン１４１が上部から下部に展開されるように設置されても構わない。
【００２５】
図４は第１フレーム１１０〜第４フレーム１４０に設置されるカーテン開閉装置において、第１フレームに設置されるカーテン開閉装置２０を拡大して示す図面である。カーテン開閉装置２０はカーテンが巻き取られ、各フレームの内側フレームに設置される巻取ローラー２１と、巻取ローラー２１に対向して設置され、両端にプーリー２２が備えられるプーリー支持バー２３と、巻取ローラー２１に巻き取られたカーテンに付着されて、巻取ローラー２１の回転によって前記プーリー２２を通過して移動するワイヤ２４とを含む。ワイヤ２４は巻取ローラー２１の回転によって巻取ローラー２１に巻かれたり解けられることによってカーテンが開閉される。
【００２６】
この時、巻取ローラー２１の一端には巻取ローラー２１を正逆回転させるための正逆モーター２５が設置される。好ましくは、外部の入力信号によって正逆モーター２５を回転させる正逆モーター駆動部（図示しない）を正逆モーター２５にさらに付着してリモコンのような無線制御器を利用してモーター２５が回転するように構成されることができる。
【００２７】
図５は本発明の一実施形態による遮光装置が実行された状態を示す図面である。図示するように、本発明による遮光装置は、窓のどの部分でも日光や外部から開放したい所を開放することができる。即ち、窓の中央部分を日光や外部に開放したい場合は、第１フレームに設置された第１カーテンを右側に移送させて中央部に近付くように配置し、第２カーテンを上部から下部に移動させて中央部に近付くように配置し、また第３カーテンを右側から左側に移送させて中央部に配置し、第４カーテンを下部から上部も移送させて中央部に配置して、４つのカーテンの操作によって中央部に小型窓のような開放部を形成して、日光が入射したり、外部眺望を確保することができる。従って、このようなカーテンの操作によって形成される開放部は、窓のどの部分でも形成されることができるので、光が入射する位置を選択的に設定することができる。
【００２８】
また、４つのカーテンのそれぞれに互いに異なる色とデザインを適用することによって、単一カーテンを利用することから発生する単調さを克服し、多様な変化を与えて室内インテリアー效果を一層アップグレードすることができる。同時に、カーテンが４重に設置されることによって、室内保温效果が増大されることができる。
【００２９】
以上のように、本発明の前記実施形態を図示して説明したが、本発明が属する技術分野における通常の知識を有するものであれば、本発明の原則や精神から逸脱しない範囲内で、本実施形態を変形することができることは自明である。従って、発明の範囲は添付された請求項やその均等物によって決められる。
【符号の説明】
【００３０】
１００：カーテンフレーム  
１１：外側フレーム
１２：内側フレーム  
１１０：第１フレーム
１２０：第２フレーム  
１３０：第３フレーム
１４０：第４フレーム
【図１】
0005383829.tif 000002
【図２】
0005383829.tif 000003
【図３】
0005383829.tif 000004
【図４】
0005383829.tif 000005
【図５】
0005383829.tif 000006